(57)【特許請求の範囲】
【請求項１】
便器を洗浄する洗浄水を貯水する洗浄水タンク装置であって、
底面に排水口が形成された洗浄水タンクと、
この洗浄水タンクに洗浄水を給水する給水手段と、
上記洗浄水タンクの排水口を開閉する排水弁と、
この排水弁を上昇させて排水口から洗浄水を便器に供給する排水弁駆動手段と、
上記洗浄水タンク内の上方に設けられ上記洗浄水タンク内の洗浄水の止水水位を検出する水位検出手段と、
洗浄開始信号に基づいて上記排水口から便器へ供給するように上記排水弁駆動手段の作動を制御する制御手段と、を有し、
上記制御手段は、上記洗浄開始信号の受信後に上記水位検出手段が上記洗浄水タンク内の洗浄水の止水水位を検出している場合には、上記排水弁駆動手段を駆動することにより上記排水弁を上昇させて上記排水口を開放し、上記便器へ洗浄水を供給して便器の洗浄を実行する通常洗浄モードと、上記洗浄開始信号の受信後に上記水位検出手段が上記洗浄水タンク内の洗浄水の止水水位を検出していない場合には、上記排水弁駆動手段を作動させることなく上記洗浄水タンクに洗浄水を給水するように上記給水手段を制御した後、上記便器の洗浄を実行する異常洗浄モードと、を備えていることを特徴とする洗浄水タンク装置。
【請求項２】
上記制御手段の異常洗浄モードは、上記洗浄開始信号の受信後に上記水位検出手段が上記洗浄水タンク内の洗浄水の止水水位を検出していない場合には、上記排水弁駆動手段を作動させることなく上記給水手段を作動して所定時間給水を行った後、上記給水手段を停止して上記便器の洗浄を実行する請求項１に記載の洗浄水タンク装置。
【請求項３】
上記水位検出手段はフロートスイッチである請求項１又は２に記載の洗浄水タンク装置。
【請求項４】
請求項１乃至３の何れか１項に記載の洗浄水タンク装置を備えた水洗大便器。
【発明の詳細な説明】
【技術分野】
【０００１】
本発明は、洗浄水タンク装置、及び、それを備えた水洗大便器に係り、特に、便器本体を洗浄する洗浄水を貯水する洗浄水タンク装置、及び、それを備えた水洗大便器に関する。
【背景技術】
【０００２】
従来から、便器を洗浄する洗浄水が貯水する洗浄水タンク装置において、洗浄水タンクの満水水位等の所定水位をフロートスイッチの電気信号で検出するものが知られている（例えば、特許文献１参照）。このようなフロートスイッチは、例えば、洗浄水タンク内の洗浄水の止水水位（満水水位）を検出するとＯＮ状態となり、洗浄水の給水が停止され、水位が止水水位よりも低下するとＯＦＦ状態となり、洗浄水タンク内へ洗浄水が給水されようになっている。
また、上述した従来の洗浄水タンク装置においては、使用されていない状態においても、排水弁の止水不良等による漏水対策としてフロートスイッチを常時作動させ、漏水により水位が低下した状態ではフロートスイッチがＯＦＦ状態となり、洗浄水タンク内へ洗浄水を給水し、その後水位が満水水位となると、フロートスイッチがＯＮ状態となり、洗浄水の給水を停止する操作が繰り返えされることにより、このような現象を見た使用者にも異常が知らされるようになっている。
【先行技術文献】
【特許文献】
【０００３】
【特許文献１】特開２００９−２０７５号公報
【発明の概要】
【発明が解決しようとする課題】
【０００４】
しかしながら、上述した従来の洗浄水タンク装置においては、例えば、排水弁の止水不良等による漏水対策を行った結果、使用者が漏水の異常に気付くまで、漏水により水位が低下した状態ではフロートスイッチがＯＦＦ状態となる。そして、洗浄水タンク内へ洗浄水が給水され、再び満水水位となると、フロートスイッチがＯＮ状態となり、洗浄水の給水が停止されるという給水又は停止操作が自動的に繰り返えされる。この結果、洗浄水タンクから無制限に洗浄水が漏水することになり、使用者が異常に気付くまでに時間がかかると、洗浄水を多量に漏水させてしまうという問題がある。
【０００５】
そこで、本発明は、上述した従来技術の問題点を解決するためになされたものであり、便器の洗浄を開始する際に、洗浄水タンクの洗浄水の漏水が発生していたとしても、便器の洗浄に要する洗浄水タンク内の洗浄水量を最低限確保することができると共に、異常状態であることを使用者に容易に認知させることができ、洗浄水タンクの洗浄水を無制限に漏水させてしまうことを防ぐことができる洗浄水タンク装置、及び、それを備えた水洗大便器を提供することを目的としている。
【課題を解決するための手段】
【０００６】
上記の目的を達成するために、本発明は、便器を洗浄する洗浄水を貯水する洗浄水タンク装置であって、底面に排水口が形成された洗浄水タンクと、この洗浄水タンクに洗浄水を給水する給水手段と、上記洗浄水タンクの排水口を開閉する排水弁と、この排水弁を上昇させて排水口から洗浄水を便器に供給する排水弁駆動手段と、上記洗浄水タンク内の上方に設けられ上記洗浄水タンク内の洗浄水の止水水位を検出する水位検出手段と、洗浄開始信号に基づいて上記排水口から便器へ供給するように上記排水弁駆動手段の作動を制御する制御手段と、を有し、上記制御手段は、上記洗浄開始信号の受信後に上記水位検出手段が上記洗浄水タンク内の洗浄水の止水水位を検出している場合には、上記排水弁駆動手段を駆動することにより上記排水弁を上昇させて上記排水口を開放し、上記便器へ洗浄水を供給して便器の洗浄を実行する通常洗浄モードと、上記洗浄開始信号の受信後に上記水位検出手段が上記洗浄水タンク内の洗浄水の止水水位を検出していない場合には、上記排水弁駆動手段を作動させることなく上記洗浄水タンクに洗浄水を給水するように上記給水手段を制御した後、上記便器の洗浄を実行する異常洗浄モードと、を備えていることを特徴としている。
このように構成された本発明においては、制御手段が洗浄開始信号の受信する前の便器の洗浄が行われていない状態においては、例えば、排水弁による排水口の止水不良等によって洗浄水タンクから便器への洗浄水の漏水による異常が発生していたとしても、水位検出手段、排水弁駆動手段及び給水手段が作動することなく、洗浄水タンク内に予め貯水されている有限の洗浄水量のみが漏水されることになる。したがって、洗浄水タンクの洗浄水の漏水について、洗浄水タンク内に予め貯水されている有限の洗浄水量に止めることができ、漏水を最小限に抑えることができる。また、このような漏水による異常が発生し、便器洗浄前の洗浄水タンク内の水位が止水水位よりも低下している状態で制御手段が洗浄開始信号を受信したとしても、水位検出手段が洗浄水タンク内の洗浄水の止水水位を検出しないため、通常洗浄モードとは異なる異常洗浄モードを実行し、排水弁駆動手段を作動させることなく洗浄水タンクに洗浄水を給水するように給水手段を制御する。この結果、便器の洗浄に要する洗浄水タンク内の洗浄水量を最低限確保した上で、その後の便器の洗浄を確実に行うことができる。また、制御手段が洗浄開始信号を受信後、水位検出手段が洗浄水タンク内の洗浄水の止水水位を検出しない場合には、一般的な便器の洗浄では、排水弁駆動手段が作動して排水口が開放されて便器の洗浄が行われてしまう代わりに、異常洗浄モードを実行することにより、排水弁駆動手段が作動せずに給水手段による給水が行われる異常状態であることを使用者に容易に認知させることができる。したがって、洗浄水タンクの洗浄水を無制限に漏水させてしまうことを防ぐことができる。
【０００７】
本発明において、好ましくは、上記制御手段の異常洗浄モードは、上記洗浄開始信号の受信後に上記水位検出手段が上記洗浄水タンク内の洗浄水の止水水位を検出していない場合には、上記排水弁駆動手段を作動させることなく上記給水手段を作動して所定時間給水を行った後、上記給水手段を停止して上記便器の洗浄を実行する。
このように構成された本発明においては、制御手段が洗浄開始信号を受信したとしても、水位検出手段が洗浄水タンク内の洗浄水の止水水位を検出していない場合には、異常洗浄モードを実行することにより、排水弁駆動手段を作動させることなく給水手段を作動して所定時間給水を行った後、給水手段を停止するため、便器の洗浄を開始する際に、洗浄水タンクの洗浄水の漏水が発生していたとしても、便器の洗浄に要する洗浄水タンク内の洗浄水量を最低限確保することができ、また、異常洗浄モードによって給水が所定時間で行われた後に停止することにより、洗浄水タンクの洗浄水を無制限に漏水させてしまうことを防ぐことができる。
【０００８】
本発明において、好ましくは、上記水位検出手段はフロートスイッチである。
このように構成された本発明においては、水位検出手段がフロートスイッチであるため、低コストで洗浄水タンク内の止水水位を検出することができると共に、洗浄水タンクの洗浄水が漏水している場合でも、無制限に漏水させてしまうことを防ぐことができる。
【０００９】
また、本発明は、洗浄水タンク装置を備えた水洗大便器である。
このように構成された本発明においては、便器の洗浄を開始する際に、洗浄水タンクの洗浄水の漏水が発生していたとしても、便器の洗浄に要する洗浄水タンク内の洗浄水量を最低限確保することができ、洗浄水タンクの洗浄水を無制限に漏水させてしまうことを防ぐことができる水洗大便器を提供することができる。
【発明の効果】
【００１０】
本発明の、洗浄水タンク装置、及び、それを備えた水洗大便器によれば、便器の洗浄を開始する際に、洗浄水タンクの洗浄水の漏水が発生していたとしても、便器の洗浄に要する洗浄水タンク内の洗浄水量を最低限確保することができると共に、異常状態であることを使用者に容易に認知させることができ、洗浄水タンクの洗浄水を無制限に漏水させてしまうことを防ぐことができる。
【図面の簡単な説明】
【００１１】
【図１】本発明の一実施形態による洗浄水タンク装置が適用された水洗大便器を示す側面断面図である。
【図２】図１に示す水洗大便器から洗浄水タンク装置を取り外した状態の便器本体を示す平面図である。
【図３】図１に示す水洗大便器の便器本体及び洗浄水タンク装置を示す部分正面図である。
【図４】本発明の一実施形態による洗浄水タンク装置の内部を示す平面図である。
【図５】図４のＶ−Ｖ線に沿って見た断面図である。
【図６】図４のVI−VI線に沿って見た断面図である。
【図７】本発明の一実施形態による一連の洗浄動作の流れを示すフローチャートである。
【発明を実施するための形態】
【００１２】
以下、添付図面により、本発明の一実施形態による洗浄水タンク装置を説明する。
まず、図１〜図３により、本発明の一実施形態による洗浄水タンク装置が適用された水洗便器を説明する。
図１は本発明の一実施形態による洗浄水タンク装置が適用された水洗大便器を示す側面断面図であり、図２は図１に示す水洗大便器から洗浄水タンク装置を取り外した状態の便器本体を示す平面図であり、図３は図１に示す水洗大便器の便器本体及び洗浄水タンク装置を示す部分正面図である。
【００１３】
図１〜図３に示すように、符号１は洗い落し式の水洗大便器を示し、この洗い落し式の水洗大便器１は、便器本体２を備え、この便器本体２の上部の前方側には、ボウル部４が形成され、後方側の上部には導水路６が、導水路６の下方にはボウル部４と連通する排水トラップ管路８が、それぞれ形成されている。
【００１４】
便器本体２のボウル部４の上縁部内側にはオーバーハング形状のリム１０が形成され、さらに、このリム１０の一部には、導水路６から供給される洗浄水を吐水する第１吐水口１２が形成され、第１吐水口１２から吐水された洗浄水は、旋回しながら下降してボウル部４を洗浄するようになっている。
【００１５】
排水トラップ管路８の近傍で且つボウル部４の下方には、一点鎖線で溜水面Ｗ0が示された溜水部１４が形成されている。この溜水部１４の下方には、上述した排水トラップ管路８の入口８ａが開口し、この入口８ａから上昇路８ｂが後方に延びている。この上昇路８ｂには下降路８ｃが連続し、下降路８ｃの下端は排水ソケット（図示せず）を介して床下の排出管（図示せず）に接続されている。
【００１６】
また、ボウル部４の中心下部の溜水面Ｗ0の上方位置には、導水路６から供給される洗浄水を吐水する第２吐水口１６が形成され、この第２吐水口１６から吐水される洗浄水が溜水部１４の溜水を上下方向に旋回させる旋回流を生じさせるようになっている。
【００１７】
さらに、便器本体２の導水路６の上方には、便器本体２に供給する洗浄水を貯水する洗浄水タンク装置１８が設けられている。この洗浄水タンク装置１８は、洗浄水タンク２０を備え、この洗浄水タンク２０の底部には、上下方向に延びる排水口２２が形成され、この排水口２２の下端は便器本体２の導水路６と連通し、洗浄水タンク２０内の洗浄水が排水口２２から便器本体２の導水路６に排水されるようになっている。
【００１８】
つぎに、図４〜図６により、洗浄水タンク装置１８について説明する。図４は本発明の一実施形態による洗浄水タンク装置の内部を示す平面図であり、図５は図４のＶ−Ｖ線に沿って見た断面図であり、図６は図４の洗浄水タンク装置の内部を便器正面から見た部分断面図である。なお、図５及び図６において、洗浄水タンク２０内の満水時の水位（止水水位）をＷL1で示している。
【００１９】
図４〜図６に示すように、洗浄水タンク２０内には、洗浄水タンク２０内に洗浄水を供給する給水装置２４、便器本体２へ洗浄水を供給する排水装置２６、洗浄水タンク２０内の洗浄水の水位Ｗが止水水位ＷL1となった状態を検知するフロートスイッチである水位センサ２８（水位検出手段）が設けられ、また、洗浄水タンク２０外には、種々の装置を制御する制御手段であるコントローラ２１及び、使用者が操作する洗浄開始信号又は使用者が自動洗浄開始を選択していた場合の洗浄開始信号を発信する操作ボタン２３が設けられている。この操作ボタン２３は、例えば、３種類の洗浄水量による洗浄モード（大洗浄モード、小洗浄モード、エコ小洗浄モード）の操作ボタンを備え、洗浄水量は、例えば、大洗浄モードで４．８リットル、小洗浄モードで４．０リットル、エコ洗浄モードで３．８リットルとなっている。
なお、水位センサ２８は、フロートスイッチに限定されず、光学式水位検出装置又は超音波式水位検出装置であってもよい。
【００２０】
コントローラ２１は、操作ボタン２３、水位センサ２８、給水バルブ３２、及び駆動装置４０（排水弁駆動手段）と連結する。コントローラ２１は、操作ボタン２３からの洗浄開始信号を受信して、水位センサ２８を作動又は停止するよう制御する。さらに、コントローラ２１は、給水バルブ３２及び駆動装置４０を駆動させ又は停止させるように制御できる。
【００２１】
給水装置２４は、水道等の給水源（図示せず）に接続された定流量弁３０、給水バルブ３２、及び、給水口３４を備えている。
給水バルブ３２は、水位センサ２８の水位検知情報に基づいてコントローラ２１からの指令により給水バルブ３２の開閉動作が制御され、給水装置２４の給水口３４から洗浄水タンク２０内への洗浄水の給水又は止水が切り替えられるようになっている。吐水口３４は、洗浄水タンク２０の内側の水位センサ２８と逆側の壁を指向して吐水を行うようになっている。
【００２２】
排水装置２６は、オーバーフロー管３６と、オーバーフロー管３６の下端部に固着された排水弁３８と、オーバーフロー管３６を電気的駆動力により上下動させることにより排水弁３８を開閉操作する駆動装置４０を備えている。
また、洗浄水タンク２０の排水口２２の周辺部には、排水弁３８の上下動をガイドし且つ高さ位置を規制するガイド部材４２が取り付けられている。
【００２３】
オーバーフロー管３６は、洗浄水タンク２０の排水口２２と対向する下端開口部３６ａから上端開口部３６ｂまで延びる円筒状の管部材である。そして、洗浄水タンク２０内の洗浄水の水位Ｗが、満水時の止水水位ＷL1を超えてさらに水位ＷOFまで上昇し、オーバーフロー管３６の上端開口部３６ｂの高さ位置を上回ったときには、洗浄水がオーバーフローし、オーバーフロー管３６の上端開口部３６ｂから下端開口部３６ａを経て洗浄水タンク２０の排水口２２から便器本体２側に排水（供給）されるようになっている。
【００２４】
さらに、駆動装置４０は、ＤＣモータであり、この駆動装置４０から延びる回転軸４４の先端には、玉鎖４６が取り付けられている。この玉鎖４６の下方部分は、オーバーフロー管３６の下端開口部３６ａから下方に突出する玉鎖取付部３６ｃに取り付けられている。駆動装置４０が玉鎖４６を上方に引き上げるように回転軸４４を回転させると、オーバーフロー管３６が玉鎖４６と共に上昇し、駆動装置４０が玉鎖４６を引き下げるように回転軸４４を回転させると、オーバーフロー管３６が玉鎖４６と共に下降するようになっている。
【００２５】
次に、図７により、上述した本発明の一実施形態による動作（作用）を説明する。
図７は、本発明の一実施形態による一連の洗浄動作の流れを示すフローチャートである。ここで、図７において、Ｓは各ステップを示している。
まず、Ｓ１において、洗浄水タンク装置１８の洗浄水タンク２０内には、満水時の水位である止水水位ＷL1まで洗浄水が満たされている。この状態で使用者が、便器使用後に、例えば、大洗浄用の操作ボタン２３を押すと、この操作ボタン２３からの洗浄開始信号がコントローラ２１に送信された後、水位センサ２８の作動が開始され、Ｓ２に進み、水位センサ２８が止水水位ＷL1を検出したか否かを判定する。
なお、コントローラ２１が洗浄開始信号を受信する前については、水位センサ２８は作動していないので、給水バルブ３２が洗浄水タンク２０へ洗浄水を給水することがない。
【００２６】
つぎに、Ｓ２において、水位センサ２８が止水水位ＷL1を検出したと判定した場合には、Ｓ３及びＳ４の動作に関する「通常洗浄モード」を実行する。
すなわち、通常洗浄モードでは、Ｓ３において、Ｓ２で水位センサ２８が止水水位ＷL1を検出した信号をコントローラ２１が受信し、この信号に基づいて、排水弁駆動手段である駆動装置４０を駆動させ、排水装置２６の排水弁３８を上昇させて排水口２２を開放し、洗浄水タンク２０から便器本体２の導水路６へ洗浄水を供給し、Ｓ４において、便器の洗浄が行われる。
【００２７】
一方、Ｓ２において、水位センサ２８が止水水位ＷL1を検出していないと判定した場合には、洗浄水タンク２０の排水口２２における排水弁３８による止水不良等の異常と判定し、Ｓ５及びＳ６の動作に関する「異常洗浄モード」を実行する。
すなわち、異常洗浄モードでは、Ｓ５において、駆動装置４０を作動させることなく排水装置２６の排水弁３８が排水口２２を閉鎖した状態で、給水装置２４が作動し、給水バルブ３２が開いて給水口３４から洗浄水タンク２０内に洗浄水が給水される。
【００２８】
また、Ｓ５における異常洗浄モードでは、駆動装置４０を作動させることなく排水装置２６の排水弁３８が排水口２２を閉鎖した状態で、給水装置２４がタイマー（図示せず）等により所定時間作動し、給水バルブ３２が開いて給水口３４から洗浄水タンク２０内に洗浄水が所定時間（例えば６０秒間）給水され、Ｓ６に進み、給水が停止された後、Ｓ３に進む。すなわち、Ｓ５からＳ６を経てＳ３を実行する異常洗浄モードが実行される。
ちなみに、通常の便器の洗浄においては、コントローラ２１が洗浄開始信号を受信してから給水装置２４による洗浄水の給水を開始するまでは６秒程度であるが、洗浄開始信号を受信した直後に異常洗浄モードによる給水を開始し、使用者に異常をさらに知らせやすくするようにしてもよい。
【００２９】
なお、上述した本実施形態では、Ｓ５で給水装置２４を作動させ所定時間（例えば６０秒間）経過するとＳ６で給水を停止するようにタイマーで制御するパターン（パターン１）を採用しているが、このようなパターン１を採用する代わりに、Ｓ５で給水装置２４を作動させ、水位センサ２８が洗浄水タンク２０の貯水水位が止水水位ＷL1に達したことを検知すると、Ｓ６で給水を停止するようなパターン（パターン２）を採用してもよく、上述した２つのパターン１及び２を組み合わせて採用してもよい。
また、洗浄タンク２０からの漏水が微量である場合には、Ｓ５からＳ６への移行を水位センサ２８による検知で行うパターン２を採用した方が素早く貯水タンク２０を止水水位ＷL1まで貯水できるために効果的である。
一方、洗浄タンク２０からの漏水が比較的大量である場合には、Ｓ５からＳ６への移行をタイマーで制御するパターン１を採用した方が、Ｓ５で無制限に洗浄水が漏水し、洗浄水を多量に漏水させてしまうことを防止できるために効果的である。
【００３０】
さらに、Ｓ５における異常洗浄モードでは、万一、洗浄水タンク２０の水位が止水水位ＷL1を超えた場合でも、水位がオーバーフロー管３６の上端開口部３６ｂの高さ位置に相当する水位ＷOFを上回ったときには、洗浄水がオーバーフローし、オーバーフロー管３６の上端開口部３６ｂから下端開口部３６ａを経て洗浄水タンク２０の排水口２２から便器本体２側に排水（供給）される。
【００３１】
また、Ｓ６において、給水装置２４による給水が停止した直後の状態では、洗浄水タンク２０の排水口２２の止水不良等による漏水が生じていたとしても、便器本体２の洗浄に要する最低限度の洗浄水量が洗浄水タンク内に確保されている状態となっている。
【００３２】
上述した本発明の一実施形態による洗浄水タンク装置１８によれば、コントローラ２１が操作ボタン２３から洗浄開始信号の受信する前の便器本体２の洗浄が行われていない状態において、例えば、排水弁３８による排水口２２の止水不良等によって洗浄水タンク２０から便器本体２への洗浄水の漏水異常が発生していたとしても、水位センサ２８、駆動装置４０及び給水装置２４が作動することなく、洗浄水タンク２０内に予め貯水されている有限の洗浄水量のみが漏水されることになる。したがって、洗浄水タンク２０の洗浄水の漏水について、洗浄水タンク２０内に予め貯水されている有限の洗浄水量に止めることができ、漏水を最小限に抑えることができる。また、このような漏水による異常が発生し、便器洗浄前の洗浄水タンク２０内の水位が止水水位ＷL1よりも低下している状態で、コントローラ２１が洗浄開始信号を受信したとしても、水位センサ２８が洗浄水タンク２０内の洗浄水の止水水位ＷL1を検出しないため、コントローラ２１が通常洗浄モードとは異なる異常洗浄モードを実行し、駆動装置４０を作動させることなく、排水装置２６の排水弁３８が排水口２２を閉鎖した状態で、給水装置２４が作動し、給水バルブ３２が開いて給水口３４から洗浄水タンク２０内に洗浄水が給水される。この結果、便器の洗浄に要する洗浄水タンク２０内の洗浄水量を最低限確保した上で、その後の便器の洗浄を確実に行うことができる。また、コントローラ２１が操作ボタン２３からの洗浄開始信号を受信後、水位センサ２８が洗浄水タンク２０内の洗浄水の止水水位ＷL1を検出しない場合には、一般的な便器の洗浄では、排水弁が排水口を開放して便器の洗浄動作が行われてしまう代わりに、本実施形態では、異常洗浄モードを実行することにより、駆動装置４０が作動せずに排水弁３８が排水口２２を閉鎖した状態で給水装置２４による給水が所定時間（例えば６０秒間）行われる異常状態であることを使用者に容易に認知させることができる。したがって、洗浄水タンク２０の洗浄水を無制限に漏水させてしまうことを防ぐことができる。
【００３３】
また、本実施形態による洗浄水タンク装置１８によれば、便器洗浄前に洗浄水タンク２０の洗浄水の漏水によって洗浄水タンク２０内の水位が止水水位ＷL1をよりも低下している状態でコントローラ２１が操作ボタン２３からの洗浄開始信号を受信したとしても、水位センサ２８が洗浄水タンク２０内の洗浄水の止水水位ＷL1を検出していない場合には、異常洗浄モードを実行することにより、駆動装置４０を作動させることなく、給水装置２４を作動して所定時間給水を行った後、給水を停止するため、便器の洗浄を開始する際に、洗浄水タンク２０の洗浄水の漏水が発生していたとしても、便器の洗浄に要する洗浄水タンク内の洗浄水量を最低限確保することができる。また、異常洗浄モードによって給水が所定時間行われた後に停止することにより、洗浄水タンク２０の洗浄水を無制限に漏水させてしまうことを防ぐことができる。
【００３４】
さらに、本実施形態による洗浄水タンク装置１８によれば、水位センサ２８がフロートスイッチであるため、低コストで洗浄水タンク２８内の止水水位ＷL1を検出することができると共に、洗浄水タンク２０の洗浄水の漏水している場合でも、無制限に漏水させてしまうことを防ぐことができる。
【符号の説明】
【００３５】
１    水洗大便器
２    便器本体
４    ボウル部
６    導水路
８    排水トラップ管路
８ａ  排水トラップ管路の入口
８ｂ  排水トラップ管路の上昇路
８ｃ  排水トラップ管路の下降路
１０    リム
１２    第１吐水口
１４    溜水部
１６    第２吐水口
１８    洗浄水タンク装置
２０    洗浄水タンク
２０ａ  洗浄水タンクの底面
２１    コントローラ（制御手段）
２２    排水口
２３    操作ボタン
２４    給水装置（給水手段）
２６    排水装置
２８    水位センサ（水位検出手段）
３０    定流量弁
３２    給水バルブ
３４    給水口
３６    オーバーフロー管
３６ａ  オーバーフロー管の下端開口部
３６ｂ  オーバーフロー管の上端開口部
３６ｃ  オーバーフロー管の玉鎖取付部
３８    排水弁
４０    駆動装置（排水弁駆動手段）
４２    ガイド部材
４４    回転軸
４６    玉鎖
【図１】
0005441008.tif 000002
【図２】
0005441008.tif 000003
【図３】
0005441008.tif 000004
【図４】
0005441008.tif 000005
【図５】
0005441008.tif 000006
【図６】
0005441008.tif 000007
【図７】
0005441008.tif 000008